(57)【特許請求の範囲】
【請求項１】
収容壁（５８）と反射壁（６０）と下側壁（６２）と少なくとも２つの端部壁（５４，５６）とを含む細長トラフ様構造を有するハウジング（１２）であって、前記収容壁（５８）、反射壁（６０）、下側壁、及び端部壁（５４，５６）が入射口（６５）を有する３次元容積を画定し、前記ハウジング（１２）の垂直軸（Ａ）が前記入射口（６５）によって画定される平面に略直交する、前記ハウジング（１２）と；
前記ハウジング（１２）の前記収容壁（５８）に取り付けられる複数の受光器（１６，１８，２０，２２，２４，２６）であって、前記複数の受光器（１６，１８，２０，２２，２４，２６）の各受光器が垂直軸（Ｄ）を画定し、かつ少なくとも１つの太陽電池セル（４８）と前記太陽電池セル（４８）に集光させるレンズ（５０）と、そして前記太陽電池セル（４８）に接続されるヒートシンク（５２）と、を含み、前記太陽電池セル（４８）及び前記レンズ（５０）が、前記３次元容積内に配置され、そして前記ヒートシンク（５２）が前記３次元容積の外部に位置し、前記受光器の前記垂直軸（Ｄ）が前記ハウジング（１２）の前記垂直軸（Ａ）に対して非ゼロの角度で配置される前記複数の受光器（１６，１８，２０，２２，２４，２６）と；
前記３次元容積内に収容される複数の光学素子（２８，３０，３２，３４，３６，３８）であって、前記複数の光学素子（２８，３０，３２，３４，３６，３８）の各光学素子が、前方タブ（４４）及び後方タブ（４６）を含む、前記複数の光学素子（２８，３０，３２，３４，３６，３８）と；
前記ハウジング（１２）の前記下側壁（６２）の上に配置される複数の前方クリップ（６６）であって、前記複数の前方クリップ（６６）の各前方クリップ（６６）が、前記前方タブ群（４４）のうちの関連する１つのタブに係合する、前記複数の前方クリップ（６６）と；
前記ハウジング（１２）の前記反射壁（６０）の上に配置される複数の後方クリップ（６８）であって、前記複数の後方クリップ（６８）の各後方クリップ（６８）が、前記後方タブ群（４６）のうちの関連する１つのタブに係合する、前記複数の後方クリップ（６８）と；
前記ハウジング（１２）の前記入射口（６５）に接続されて３次元密閉容積を形成する窓（１４）であって、前記ハウジング（１２）及び前記窓（１４）が、略完全密閉容積を画定する、窓（１４）と、を備えた太陽光集光装置（１０）。
【請求項２】
前記複数の前方クリップ（６６）及び後方クリップ（６８）が、前記複数の光学素子（２８，３０，３２，３４，３６，３８）を前記複数の受光器（１６，１８，２０，２２，２４，２６）に位置合わせするように構成される、請求項１に記載の太陽光集光装置。
【請求項３】
前記光学素子（２８，３０，３２，３４，３６、３８）がミラーである、請求項１に記載の太陽光集光装置。
【請求項４】
前記非ゼロの角度が、約２０〜約８０度である、請求項１に記載の太陽光集光装置。
【請求項５】
前記非ゼロの角度が約５５度である、請求項１に記載の太陽光集光装置。
【請求項６】
前記窓（１４）が、ポリマー材料により形成される、請求項１に記載の太陽光集光装置。
【請求項７】
前記複数の後方クリップを細長くすることにより、前記光学素子（２８，３０，３２，３４，３６，３８）及び前記ハウジング（１２）の熱膨張率の違いを解消する、請求項１に記載の太陽光集光装置。
【請求項８】
前記ミラーは、前方端部（８２）及び後方端部（８４）を有する光学面（８０）を含み、突出部（８６）が、前方端部（８２）から遠位方向に延在し、かつ前方タブ（８８）を含む、請求項３に記載の太陽光集光装置。
【発明の詳細な説明】
【技術分野】
【０００１】
本特許出願は、太陽光を集光する太陽光発電システムに関するものであり、特に完全密閉ハウジングを有する太陽光集光装置に関するものであり、当該ハウジングは、太陽電池セルアレイを軸外配置で支持する。
【背景技術】
【０００２】
太陽光集光装置は通常、太陽光を光起電力素子群に集光させて、太陽光を大領域から採り入れ、そして当該太陽光を太陽電池セル群の比較的小さい領域に集光させることにより、電力を発生させるために使用される。従って、砒化ガリウム系（ＧａＡｓ）太陽電池セルのような高発電効率の太陽電池セルは、当該太陽電池セルよりも効率が低い（かつ、低価格の）シリコン太陽電池セルの代わりに使用できることにより、更に大きい単位面積当たりエネルギーを、安価なコストで発生させることができる。
【０００３】
太陽光集光装置は、種々の方法により構成することができ、そして通常、屈折光学系、反射光学系、またはこれらの光学系の種々の組み合わせを含むことができる。使用される集光光学系に拘わらず、過剰な熱を取り除く必要があり、かつ太陽電池セル群を周囲環境から保護する必要がある。従って、設計プロセスでは普通、熱特性及び／又は保護特性の間で妥協点を探る必要がある。例えば、フレネルレンズ（屈折光学系）を利用する先行技術によるシステムは、太陽電池セル群を筺体の背面に配置する必要があり、これにより過剰な熱を取り除くことが困難になり、より大型のヒートシンクが必要になる。
【０００４】
更に、太陽光集光装置を高効率で作動させるためには、光学素子群を太陽電池セル群に正確に位置合わせする必要がある。実際、位置合わせを更に正確に行なうことにより、集光度を高めることができるので、合計太陽電池セルコストを低減することができる。しかしながら、先行技術による太陽光集光装置を設計するためには通常、正確な位置合わせを行なうために高コストな製造工程が必要になっており、また一方、他の太陽光集光装置の設計では、製造コストを低減するため、正確さ及びその結果としての効率を犠牲にしている。
【０００５】
従って、光学素子群を太陽電池セル群に、軸外配置で迅速かつ容易に位置合わせするとともに、太陽電池セル群に、不可欠な熱的保護機能及び耐環境性保護機能を付与する太陽光集光装置が必要になる。
【発明の概要】
【０００６】
１つの態様では、本開示の太陽光集光装置は、収容壁と反射壁と少なくとも２つの端部壁とを有するハウジングであって、前記収容壁、反射壁、及び端部壁群が入射口を有する３次元容積を画定し、前記ハウジングの垂直軸が前記入射口に略直交する前記ハウジングと、前記ハウジングの前記収容壁に取り付けられる受光器であって、前記受光器が少なくとも１つの太陽電池セルを含み、前記受光器の垂直軸が前記ハウジングの前記垂直軸に対して非ゼロの角度で配置される前記受光器と、前記反射壁の上に配置される少なくとも１つのクリップと、前記３次元容積内に収容される光学素子であって、前記クリップを介して該光学素子を係合させることにより前記光学素子を前記受光器に位置合わせする前記光学素子と、そして前記入射口の上に載置されて前記ハウジングを密閉する窓と、を含むことができる。
【０００７】
別の態様では、本開示の太陽光集光装置は、収容壁と反射壁と下側壁と少なくとも２つの端部壁とを含むハウジングであって、前記収容壁、反射壁、下側壁、及び端部壁が入射口を有する３次元容積を画定し、前記ハウジングの垂直軸が前記入射口によって画定される平面に略直交する前記ハウジングと、前記ハウジングの前記収容壁に取り付けられる複数の受光器であって、各受光器が垂直軸を画定し、かつ少なくとも１つの太陽電池セルと前記太陽電池セルに集光させるレンズと前記太陽電池セルに接続されるヒートシンクとを含み、前記太陽電池セル及び前記レンズが前記３次元容積内に配置され、そして前記ヒートシンクが前記３次元容積の外部に位置し、前記受光器の前記垂直軸が前記ハウジングの前記垂直軸に対して非ゼロの角度で配置される前記複数の受光器と、前記３次元容積内に収容される複数の光学素子であって、各光学素子が前方タブ及び後方タブを含む、前記複数の光学素子と、前記ハウジングの前記下側壁の上に配置される複数の前方クリップであって、各前方クリップが、前記前方タブ群のうちの関連する１つのタブに係合する、前記複数の前方クリップと、前記ハウジングの前記反射壁の上に配置される複数の後方クリップであって、各後方クリップが、前記後方タブ群のうちの関連する１つのタブに係合する、前記複数の後方クリップと、そして前記ハウジングの前記入射口に接続されて３次元密閉容積を形成する窓と、を含むことができる。
【０００８】
別の態様では、光学素子を、少なくとも１つの太陽電池セルを含む受光器に位置合わせする方法は、収容壁と反射壁とそして少なくとも２つの端部壁とを含むハウジングを設ける工程（１）であって、前記収容壁、反射壁、及び端部壁群が入射口を有する３次元容積を画定し、前記ハウジングの垂直軸が前記入射口に略直交する、前記設ける工程（１）と、少なくとも１つのクリップを、前記ハウジングの前記反射壁の上に配置する工程（２）と、前記受光器を、前記ハウジングの前記収容壁に取り付ける工程（３）であって、前記受光器の垂直軸が、前記ハウジングの前記垂直軸に対して非ゼロの角度で配置される、前記取り付ける工程（３）と、前記光学素子を前記３次元容積内に配置して、前記光学素子を、前記クリップを介して係合させる工程（４）と、そして窓を前記入射口の上に配置して前記ハウジングを密閉する工程（５）と、を含むことができる。
【０００９】
本開示の太陽光集光装置の他の態様は、以下の説明、添付の図面、及び添付の請求項から明らかになる。
【図面の簡単な説明】
【００１０】
【図１】図１は、本開示の太陽光集光装置の１つの態様の部分分解前方斜視図である。
【図２】図２は、図１の太陽光集光装置の上部平面図である。
【図３】図３は、図２の太陽光集光装置の側方断面立面図である。
【図４】図４は、図３の太陽光集光装置の詳細部分の側方断面立面図である。
【図５】図５は、本開示の太陽光集光装置の別の態様の側方断面立面図である。
【図６】図６は、図５に示す太陽光集光装置の光学素子の側方斜視図である。
【発明を実施するための形態】
【００１１】
図１に示すように、番号１０で一括指示される本開示の太陽光集光装置の１つの態様は、ハウジング１２と、窓１４と、アレイ状の受光器１６，１８，２０，２２，２４，２６と、さらにアレイ状の光学素子２８，３０，３２，３４，３６，３８と、を含むことができる。１つの態様では、光学素子２８，３０，３２，３４，３６，３８の数は、受光器１６，１８，２０，２２，２４，２６の数に一致させることができる。６個の光学素子２８，３０，３２，３４，３６，３８、及び６個の受光器１６，１８，２０，２２，２４，２６が太陽光集光装置１０内に図示されているが、当業者であれば、太陽光集光装置は、種々の数の受光器及び光学素子により、本開示の範囲から逸脱しない範囲で構成することが可能であると理解できるであろう。
【００１２】
任意であるが、太陽光集光装置１０は、ハウジング１２に接続されるブラケット４０，４２または同様の器具を含むことにより、太陽光集光装置１０を太陽光追跡装置（図示せず）に取り付けることができる。太陽光追跡装置は、太陽光集光装置１０を回動させて、太陽光集光装置１０の垂直軸Ａ（図３）が、太陽が空を移動しているときの太陽に位置合わせされるように構成することができる。
【００１３】
光学素子２８，３０，３２，３４，３６，３８は、放物面ミラーのようなミラーまたは同様の素子とすることができ、そして入射太陽光を受光し、そして入射太陽光を受光器１６，１８，２０，２２，２４，２６に集光するようなサイズ及び形状に形成することができる。当業者であれば、光学素子２８，３０，３２，３４，３６，３８の全体サイズ、形状、及び幾何学構造は、種々の要素の中でもとりわけ、ハウジング１２のサイズ及び形状だけでなく、ハウジング１２内の受光器１６，１８，２０，２２，２４，２６の位置によって異なり得ることを理解できるであろう。
【００１４】
１つの特定の態様では、光学素子２８，３０，３２，３４，３６，３８のうちの１つ以上の光学素子は、Ｂｅｎｉｔｅｚ（ベニテス）らにより２００８年３月１４日に出願された「Ｏｐｔｉｃａｌ  Ｃｏｎｃｅｎｔｒａｔｏｒ，  Ｅｓｐｅｃｉａｌｌｙ  ｆｏｒ  Ｓｏｌａｒ  Ｐｈｏｔｏｖｏｌｔａｉｃｓ（光学集光装置、特に太陽光発電の光学集光装置）」と題する米国特許公開公報第２００８／０２２３４４３号に開示される光学集光装置とすることができ、当該米国特許公開公報の内容全体が本明細書において参照されることにより、本明細書に組み込まれる。
【００１５】
図３を参照するに、各光学素子２８，３０，３２，３４，３６，３８は、前方タブ４４と、そして後方タブ４６と、を含むことができる。前方タブ４４及び後方タブ４６は、光学素子２８，３０，３２，３４，３６，３８と一体化することができる、または光学素子２８，３０，３２，３４，３６，３８に、例えば締結部材、接着剤などにより接続することができる。
【００１６】
各受光器１６，１８，２０，２２，２４，２６は、集光された光を電気エネルギーに変換する１つ以上の太陽電池セルを含むことができる。図３を参照するに、１つの特定の態様では、各受光器１６，１８，２０，２２，２４，２６は、１つ以上の太陽電池セル４８と、レンズ５０と、そしてヒートシンク５２と、を含むことができる。これらの太陽電池セル４８は、光を電気エネルギーに変換することができるシリコン太陽電池セル、ＧａＡｓ太陽電池セルなどのようないずれかのセルとすることができる。レンズ５０は、集光された光を、特に受光器１６，１８，２０，２２，２４，２６に誘導される光を光学素子２８，３０，３２，３４，３６，３８によってこれらの太陽電池セル４８に集光することができる。ヒートシンク５２は、熱をこれらの太陽電池セル４８から放散させることができるファン付きヒートシンク、ヒートパイプなどのようないずれかの装置とすることができる。
【００１７】
図１に戻ってこの図を参照するに、窓１４は、透明材料または半透明材料からなる略平坦な薄板とすることができる。１つの態様では、窓１４はガラスにより形成することができる。別の態様では、窓１４は、ポリカーボネートまたはアクリルのようなポリマー材料により形成することができる。窓１４を形成するために使用される材料（または、材料群）の透明性、可撓性、及び耐候性は、設計事項に基づいて選択することができる。
【００１８】
ハウジング１２は、受光器１６，１８，２０，２２，２４，２６及び光学素子２８，３０，３２，３４，３６，３８を当該ハウジング内に収容する略剛性の細長トラフ様構造とすることができる。しかしながら、図１〜３に示すように、受光器１６，１８，２０，２２，２４，２６の一部、具体的にはヒートシンク５２は、ハウジング１２の外部に設けることができる。ハウジング１２は、単体部材として、または複数部材の組付体として形成することができる。ハウジング１２を形成するために適する材料は、スチール及び成形可能なガラス繊維を含むが、部材群との接触に耐えることができる材料群の組み合わせを含む種々の材料を使用することができる。
【００１９】
図１及び３を参照するに、ハウジング１２は、第１端部壁５４と、第２端部壁５６と、収容壁５８と、反射壁６０と、そして下側壁６２と、を含むことができる。第１端部壁５４、第２端部壁５６、収容壁５８、及び反射壁６０は、ハウジング１２の上側周縁部６４を画定することができ、この上側周縁部６４が光をハウジング１２に入射させる入射口６５を形成することができる。図３に示すように、入射口６５は略平坦とすることができ、そしてハウジング１２の垂直軸Ａは、入射口６５によって画定される平面に略直交させることができる。ハウジング１２の上側周縁部６４は、窓１４のサイズ及び形状に略一致するようなサイズ及び形状に形成することができる。
【００２０】
従って、窓１４をハウジング１２の周縁部６４に載せて、ハウジング１２を完全に密閉することができる。窓１４は、ハウジング１２の周縁部６４に、接着剤、テープ（例えば、両面テープ）または機械的締結部材で堅く固定することができる。任意であるが、ガスケット（図示せず）を窓１４と周縁部６４との間に配置して、窓１４と周縁部６４との間の耐水気密性を確保することができる。
【００２１】
図１に示すように、受光器１６，１８，２０，２２，２４，２６は、これらの受光器がハウジング１２の中心からずれるようにハウジング１２の収容壁５８に沿って配置することができる。更に、図３に示すように、収容壁５８は、受光器１６，１８，２０，２２，２４，２６を位置決めして、受光器１６，１８，２０，２２，２４，２６の垂直軸Ｄ（すなわち、面法線に平行な軸）が、ハウジング１２の垂直軸Ａに対し非ゼロの角度に設定されるように構成することができる。従って、受光器１６，１８，２０，２２，２４，２６は、ハウジング１２に入射する光（矢印Ｂ）の邪魔にならないようにすることができる。
【００２２】
１つの態様では、受光器１６，１８，２０，２２，２４，２６の垂直軸Ｄとハウジング１２の垂直軸Ａとの非ゼロの角度は、約２０〜約８０度とすることができる。別の態様では、受光器１６，１８，２０，２２，２４，２６の垂直軸Ｄとハウジング１２の垂直軸Ａとの非ゼロの角度は、約４０〜約７０度とすることができる。更に別の態様では、受光器１６，１８，２０，２２，２４，２６の垂直軸Ｄとハウジング１２の垂直軸Ａとの非ゼロの角度は、約５０〜約６０度とすることができる。更に別の態様では、受光器１６，１８，２０，２２，２４，２６の垂直軸Ｄとハウジング１２の垂直軸Ａとの非ゼロの角度は、約５５度とすることができる。
【００２３】
図３を参照し続けると、光学素子２８，３０，３２，３４，３６，３８は、ハウジング１２の反射壁６０に沿って配置することができる。従って、光学素子２８，３０，３２，３４，３６，３８は、入射光（矢印Ｂ）を受光器１６，１８，２０，２２，２４，２６に向けて、矢印Ｃで示すように、軸外方向に誘導するように配置することができる。
【００２４】
１つの特定の態様では、ハウジング１２の下側壁６２は、光学素子２８，３０，３２，３４，３６，３８の前方タブ４４を収容する前方クリップ群６６を含むことができ、かつハウジング１２の反射壁６０は、光学素子２８，３０，３２，３４，３６，３８の後方タブ４６を収容する後方クリップ群６８を含むことができる。更に別のクリップを使用して光学素子２８，３０，３２，３４，３６，３８をハウジング１２に対して堅く固定してもよい。
【００２５】
更に、クリップ群及びタブ群の使用を図示して説明しているが、当業者であれば、本開示の範囲から逸脱しない範囲で、種々の機械的治具（例えば、フック、ストラップ、またはベルト）または機械的機能部（例えば、ノッチまたはリブ）だけでなく、接着剤を使用して、光学素子２８，３０，３２，３４，３６，３８をハウジング１２に係合させ、そして堅く固定することもできることを理解できるであろう。更には、図３に示すクリップ６６，６８はハウジング１２に接続されているが、当業者であれば、クリップ６６，６８を光学素子２８，３０，３２，３４，３６，３８に取り付けて、ハウジング１２に係合させる、特にハウジング１２上のリブ、フランジ、ノッチ、または同様の機能部に係合させることが可能であることを理解できるであろう。
【００２６】
１つの特定の態様では、前方クリップ６６及び後方クリップ６８は、ハウジング１２と一体化することができる。例えば、前方クリップ６６及び後方クリップ６８は、ロール成形または破断成形することにより、ハウジング１２の組み立て時に形成することができる。別の態様では、前方クリップ６６及び後方クリップ６８は、ハウジング１２に接続されている別体部品とすることができる。例えば、前方クリップ６６及び後方クリップ６８は、ハウジング１２に締結部材（例えば、スクリューまたはリベット）で堅く固定されている機械式クリップとすることができる。
【００２７】
従って、ハウジング１２内に配置される前方クリップ６６及び後方クリップ６８によって容易に、光学素子２８，３０，３２，３４，３６，３８を、軸外配置の受光器１６，１８，２０，２２，２４，２６に対して正確に位置合わせすることができることにより、取り付けプロセスを簡易化することができる。更に、窓１４がハウジング１２に堅く固定される場合、ハウジング１２及び窓１４は筺体を形成することができ、この筺体は、光学素子２８，３０，３２，３４，３６，３８、及び脆弱部品である受光器１６，１８，２０，２２，２４，２６を環境への露出から保護することができる。
【００２８】
前方クリップ６６は、光学素子２８，３０，３２，３４，３６，３８の位置を、光学素子の前方位置において、全ての３方向に保持することができる。しかしながら、図４に示すように、光学素子２８，３０，３２，３４，３６，３８は、細長部材とすることができる末端部７０または同様の機能部を有することができ、この末端部７０を後方クリップ６８に取り付けることにより、太陽光線に平行な方向における動きを防止し、かつ太陽光線に平行な方向と法線をなす他の２つの方向における動きを可能にする。この有利な配置によって、光学素子２８，３０，３２，３４，３６，３８をハウジング１２に対して、熱膨張率の差に起因してわずかに動かすことができるとともに、太陽光線に平行な方向である方向における正確な位置であって、システムの光学性能に重要な役割を果たす正確な位置を保持することができる。
【００２９】
図６を参照するに、１つの別の態様では、光学素子２８’は、前方端部８２及び後方端部８４を有する光学面８０を含むことができる。非光学系とすることができる突出部８６は、前方端部８２から遠位方向に延在することができ、かつ前方タブ８８を含むことができる。従って、１つの態様では、前方タブ８８は、距離Ｘだけ、光学面８０の前方端部８２から変位させることができる。別の態様では、前方タブ８８は、光学面８０に対して突出部８６に沿って中心の方に位置するようにしてもよい。本開示の範囲から逸脱しない範囲で、更に別の前方タブ（図示せず）を突出部８６に沿って組み込んでもよい。
【００３０】
図５を参照するに、光学素子２８’をハウジング１２内に収容して、前方タブ８８が、ハウジング１２に堅く固定される対応するクリップ９０に収容されることにより、光学素子２８’の光学面８０を軸外配置の受光器１６に正確に位置合わせすることができる。光学素子２８’の後方端部８４から延出する更に別のタブ群９２は、ハウジング１２に堅く固定される対応するクリップ群９４に係合することにより、光学素子２８’をハウジング１２に対して更に堅く固定することができる。１つの特定の態様では、更に別のタブ群９２をバネ付勢することにより、光学素子２８’とハウジング１２との間の応力を吸収することができる。
【００３１】
本開示による太陽光集光装置の種々の態様を示して説明してきたが、当業者であれば、本明細書を一読することにより、種々変形を想到することができる。本出願は、このような変形を含み、かつ請求項の範囲によってのみ限定される。
また、本発明は以下に記載する態様を含む。
（態様１）
収容壁（５８）と反射壁（６０）と少なくとも２つの端部壁（５４，５６）とを含むハウジング（１２）であって、前記収容壁（５８）、反射壁（６０）、及び端部壁（５４，５６）が入射口（６５）を有する３次元容積を画定し、前記ハウジング（１２）の垂直軸（Ａ）が前記入射口（６５）に略直交する前記ハウジング（１２）と；
前記ハウジング（１２）の前記収容壁（５８）に取り付けられる受光器（１６）であって、前記受光器（１６）が少なくとも１つの太陽電池セル（４８）を含み、前記受光器（１６）の垂直軸（Ｄ）が前記ハウジング（１２）の前記垂直軸（Ａ）に対して非ゼロの角度で配置される前記受光器（１６）と；
前記反射壁（６０）の上に配置される少なくとも１つのクリップ（６８）と；
前記３次元容積内に収容される光学素子（２８）であって、前記クリップ（６８）を介して係合させることにより前記光学素子（２８）を前記受光器（１６）に位置合わせする前記光学素子（２８）と；
前記入射口（６５）の上に載置されて前記ハウジング（１２）を密閉する窓（１４）と、
を備える、太陽光集光装置（１０）。
（態様２）
前記ハウジング（１２）及び前記窓（１４）が、略完全密閉容積を画定する、態様１に記載の太陽光集光装置。
（態様３）
前記光学素子（２８）がミラーである、態様１に記載の太陽光集光装置。
（態様４）
前記受光器は更に、レンズ（５０）を含み、前記レンズ（５０）は、前記太陽電池セル（４８）に集光する、態様１に記載の太陽光集光装置。
（態様５）
前記受光器（１６）は更に、前記太陽電池セル（４８）に接続されるヒートシンク（５２）を含む、態様１に記載の太陽光集光装置。
（態様６）
前記非ゼロの角度が、約２０〜約８０度である、態様１に記載の太陽光集光装置。
（態様７）
前記非ゼロの角度が約５５度である、態様１に記載の太陽光集光装置。
（態様８）
前記窓（１４）が、ガラスまたはポリマー材料により形成される、態様１に記載の太陽光集光装置。
（態様９）
前記クリップ（６８）が、前記ハウジング（１２）と一体化される、態様１に記載の太陽光集光装置。
（態様１０）
前記クリップ（６８）が、前記ハウジング（１２）に締結具を介して接続される、態様１に記載の太陽光集光装置。
（態様１１）
前記ハウジング（１２）が更に、下側壁の上に配置される第２クリップ（６６）を有する下側壁（６２）を含み、前記第２クリップ（６６）は前記光学素子（２８）に係合する、態様１に記載の太陽光集光装置。
（態様１２）
前記下側壁（６２）が更に、前記下側壁（６２）の上に配置される第３クリップを含み、前記第３クリップは前記光学素子（２８）に係合する、態様１１に記載の太陽光集光装置。
（態様１３）
収容壁（５８）と反射壁（６０）と下側壁（６２）と少なくとも２つの端部壁（５４，５６）とを含むハウジング（１２）であって、前記収容壁（５８）、反射壁（６０）、下側壁、及び端部壁（５４，５６）が入射口（６５）を有する３次元容積を画定し、前記ハウジング（１２）の垂直軸（Ａ）が前記入射口（６５）によって画定される平面に略直交する、前記ハウジング（１２）と；
前記ハウジング（１２）の前記収容壁（５８）に取り付けられる複数の受光器（１６，１８，２０，２２，２４，２６）であって、前記複数の受光器（１６，１８，２０，２２，２４，２６）の各受光器が垂直軸（Ｄ）を画定し、かつ少なくとも１つの太陽電池セル（４８）と前記太陽電池セル（４８）に集光させるレンズ（５０）と、そして前記太陽電池セル（４８）に接続されるヒートシンク（５２）と、を含み、前記太陽電池セル（４８）及び前記レンズ（５０）が、前記３次元容積内に配置され、そして前記ヒートシンク（５２）が前記３次元容積の外部に位置し、前記受光器の前記垂直軸（Ｄ）が前記ハウジング（１２）の前記垂直軸（Ａ）に対して非ゼロの角度で配置される前記複数の受光器（１６，１８，２０，２２，２４，２６）と；
前記３次元容積内に収容される複数の光学素子（２８，３０，３２，３４，３６，３８）であって、前記複数の光学素子（２８，３０，３２，３４，３６，３８）の各光学素子が、前方タブ（４４）及び後方タブ（４６）を含む、前記複数の光学素子（２８，３０，３２，３４，３６，３８）と；
前記ハウジング（１２）の前記下側壁（６２）の上に配置される複数の前方クリップ（６６）であって、前記複数の前方クリップ（６６）の各前方クリップ（６６）が、前記前方タブ群（４４）のうちの関連する１つのタブに係合する、前記複数の前方クリップ（６６）と；
前記ハウジング（１２）の前記反射壁（６０）の上に配置される複数の後方クリップ（６８）であって、前記複数の後方クリップ（６８）の各後方クリップ（６８）が、前記後方タブ群（４６）のうちの関連する１つのタブに係合する、前記複数の後方クリップ（６８）と；
前記ハウジング（１２）の前記入射口（６５）に接続されて３次元密閉容積を形成する窓（１４）と、
を備える、太陽光集光装置（１０）。
（態様１４）
前記ハウジング（１２）及び前記窓（１４）が、略完全密閉容積を画定する、態様１３に記載の太陽光集光装置。
（態様１５）
前記複数の前方クリップ（６６）及び後方クリップ（６８）が、前記複数の光学素子（２８，３０，３２，３４，３６，３８）を前記複数の受光器（１６，１８，２０，２２，２４，２６）に位置合わせするように構成される、態様１３に記載の太陽光集光装置。
（態様１６）
前記光学素子がミラーである、態様１３に記載の太陽光集光装置。
（態様１７）
前記非ゼロの角度が、約２０〜約８０度である、態様１３に記載の太陽光集光装置。
（態様１８）
前記非ゼロの角度が約５５度である、態様１３に記載の太陽光集光装置。
（態様１９）
前記窓（１４）が、ポリマー材料により形成される、態様１３に記載の太陽光集光装置。
（態様２０）
前記複数の後方クリップを細長くすることにより、前記光学素子（２８，３０，３２，３４，３６，３８）及び前記ハウジング（１２）の熱膨張率の違いを解消する、態様１３に記載の太陽光集光装置。
（態様２１）
光学素子（２８）を受光器（１６）に位置合わせする方法であって、前記受光器（１６）は、少なくとも１つの太陽電池セル（４８）を含み、前記方法は：
収容壁（５８）と反射壁（６０）と少なくとも２つの端部壁（５４，５６）とを含むハウジング（１２）を設ける工程であって、前記収容壁（５８）、反射壁（６０）、及び端部壁（５４，５６）が入射口（６５）を有する３次元容積を画定し、前記ハウジング（１２）の垂直軸（Ａ）が前記入射口（６５）に略直交する、前記設ける工程と；
少なくとも１つのクリップ（６８）を、前記ハウジング（１２）の前記反射壁（６０）の上に配置する工程と；
前記受光器を、前記ハウジング（１２）の前記収容壁（５８）に取り付ける工程であって、前記受光器（１６）の垂直軸（Ｄ）が、前記ハウジング（１２）の前記垂直軸（Ａ）に対して非ゼロの角度で配置される、前記取り付ける工程と；
前記光学素子（２８）を前記３次元容積内に配置して、前記光学素子（２８）を、前記クリップ（６８）を介して係合させる工程と；
窓（１４）を、前記入射口（６５）の上に配置して前記ハウジング（１２）を密閉する工程と、
を含む、方法。
（態様２２）
前記光学素子（２８）が末端部（７０）を含み、そして前記光学素子（２８）を配置する前記工程が、前記末端部（７０）を前記クリップ（６８）に係合させる工程を含む、態様２１に記載の方法。
【図１】
0005588515.tif 000002
【図２】
0005588515.tif 000003
【図３】
0005588515.tif 000004
【図４】
0005588515.tif 000005
【図５】
0005588515.tif 000006
【図６】
0005588515.tif 000007